(57)【要約】【課題】  学校や職場においても違和感無く使用することができる防菌器具を提供する。【解決手段】  外観をお守り袋に模した防菌器具１は前面に「交通安全」の文字が付されている。また、前記防菌器具１は開口部分３と下げ紐５が取り付けられている。前記防菌器具１は内部に挿入空間８を有し、当該挿入空間８にガス放出部材１０と２枚の遮蔽部材１５を内蔵している。ガス放出部材１０は開口を有しない袋１１に薬剤１２が封入されたものであり、自然環境下において二酸化塩素ガスを徐々に放出する。【選択図】  図１
2012176050.tif 000002
【特許請求の範囲】
【請求項１】
使用者の身体や他の物品に対して着脱するもの又は使用者が懐中に入れて持ち運ぶものであって、外観上、下記のいずれかの構成を備え、一部が外部と連通する挿入空間を有し、当該挿入空間に、殺菌効果又は滅菌効果を有するガスを自然環境下において放出するガス放出部材が内蔵されていることを特徴とする防菌器具。
（１）外観が所定の形態を模したものである。
（２）外観が所定の意味を表示又は暗示する文字又は記号を模したものである。
（３）外観に装飾が設けられたものである。
（４）他人の注意を引く構成を備えたものである。
（５）所定の形態を模した図形が表示されている。
（６）所定の意味を表示又は暗示する文字又は記号が表示されている。
（７）他人の注意を引く図形が表示されている。
【請求項２】
外部に露出する表地を有し、挿入空間と表地との間に遮蔽部材が設けられていることを特徴とする請求項１に記載の防菌器具。
【請求項３】
ガス放出部材は自然環境下において殺菌効果又は滅菌効果を有するガスを放出する薬剤が袋詰めされたものであることを特徴とする請求項１又は２に記載の防菌器具。
【請求項４】
薬剤は、二酸化塩素を担体に担持させたものであることを特徴とする請求項３に記載の防菌器具。
【発明の詳細な説明】
【技術分野】
【０００１】
本発明は、使用者が菌に感染することを防止する器具に関するものであり、身体や持ち物に装着したり保持するだけで使用者の周囲を除菌することができるものである。
【背景技術】
【０００２】
冬季になると毎年、インフルエンザが流行する。特に学校の児童・生徒が集団感染する場合が多い。
その理由は、大勢の生徒が教室という一つの空間内で、長時間にわたってとどまるためである。即ち一人の感染者から放出される菌（ウイルスを含む）が教室内において空気中に浮遊し、この菌が他の多くの生徒等の体内に侵入し、集団感染を引き起こす。
【０００３】
集団感染を防止する方策としては、教室内を加湿したり、教室内に消毒剤を噴霧する方策がある。
また特許文献１には、二酸化塩素ガスを無機質担体に吸着保持させ、当該無機質担体を入れたガラス容器を病室内につり下げることによってベッドや看護婦の着衣を消毒し、院内感染を防止する発明が開示されている。
【先行技術文献】
【特許文献】
【０００４】
【特許文献１】特開平６−２３３９８５号公報
【発明の概要】
【発明が解決しようとする課題】
【０００５】
特許文献１に開示された方策は、院内感染を防止する方策として有効であるが、学校や職場の事務所における集団感染を防止する方策としては不向きである。
即ち特許文献１に開示された方策は、ガラス容器から二酸化塩素ガスを放散させ、病室内を所定を二酸化塩素ガス濃度にして院内感染を防止するものである。そのため、病室内には、病院特有の消毒臭が漂う。病院においては、クレゾール等による消毒が日常的に行われるので、室内に多少の、二酸化塩素ガス臭があったとしても、だれも気に留める者はいない。
【０００６】
しかしながら、学校や職場は、日常的に消毒される環境ではないので、消毒臭があると違和感を感じる。また学校や職場の事務所は、勉強や業務といった知的な行動をする場所であるから、違和感のある臭気に包まれると、著しく学習効果や作業効率が低下する。
【０００７】
そこで本発明は、従来技術の上記した問題点に注目し、学校や職場においても違和感無く使用することができる除菌器具を提供することを課題とする。
【課題を解決するための手段】
【０００８】
上記した課題を解決するための請求項１に記載の発明は、使用者の身体や他の物品に対して着脱するもの又は使用者が懐中に入れて持ち運ぶものであって、外観上、下記のいずれかの構成を備え、一部が外部と連通する挿入空間を有し、当該挿入空間に、殺菌効果又は滅菌効果を有するガスを自然環境下において放出するガス放出部材が内蔵されていることを特徴とする防菌器具である。
（１）外観が所定の形態を模したものである。
（２）外観が所定の意味を表示又は暗示する文字又は記号を模したものである。
（３）外観に装飾が設けられたものである。
（４）他人の注意を引く構成を備えたものである。
（５）所定の形態を模した図形が表示されている。
（６）所定の意味を表示又は暗示する文字又は記号が表示されている。
（７）他人の注意を引く図形が表示されている。
【０００９】
ここで「使用者の身体に対して着脱するもの」とは、髪飾りやペンダント等の装身具、ポシェット等の鞄・袋物、名札、帽子等が挙げられる。
「物品に対して着脱するもの」の「物品」の例としては、学生鞄やランドセル等の鞄、携帯電話や懐中電灯その他の携帯物が挙げられる。また乗用車やトラック、自転車、バイク等の乗物も「物品」の一つである。犬、猫等のペットも「物品」である。「着脱するもの」の代表例はアクセサリーやお守り袋である。
「所定の形態を模した」とは、例えば、犬、猫、ウサギ等の動物を写実的にあるいは抽象化した外観形態や図形を有するものである。写実的にあるいは抽象化する対象は、人物、動物、植物、魚、虫、想像上の動植物や人物等が例示される。また自動車等の機械や、道具を模したものであってもよい。
「所定の意味を表示又は暗示する文字又は記号」とは、例えば個人や会社の名前、芸名、動植物やキャラクターの名前、あるいはこれらを暗示するイニシャル、年号や番号等の数字、国旗、校章、標識等の図形が挙げられる。
「装飾」とは例えばラメ等の光る部分があったり、特異な模様が表されている様な場合である。
「他人の注意を引く構成」及び「他人の注意を引く図形」とは人目に付く構成が付加されている様な場合である。
本発明の防菌器具は、アクセサリーや装飾品としての特徴を備えているから児童・生徒は好んで身に付けたり、自身の近くに置く。そのため本発明の防菌器具は、使用者の近くにある。
ここで本発明の防菌器具は、挿入空間を有し、挿入空間にガス放出部材が内蔵されている。そして当該ガス放出部材から殺菌効果等を有するガスが放出される。また挿入空間には、一部が外部と連通するから、ガス放出部材から放出されたガスは、外部に放出されることとなる。
前記した様に本発明の防菌器具は、使用者の近くにあるから、放出されたガスは、使用者の近傍に漂い、使用者の周囲に滅菌雰囲気又は殺菌雰囲気を作る。そのため使用者の近傍に近づいた菌は死滅あるいは活性が弱り、病気を感染させない。
【００１０】
請求項２に記載の発明は、外部に露出する表地を有し、挿入空間と表地との間に遮蔽部材が設けられていることを特徴とする請求項１に記載の防菌器具である。
【００１１】
本発明は、防菌器具の変色や変質、あるいは周囲の物の変色や変質を防止する機能を有するものである。
即ち殺菌効果又は滅菌効果を有するガスは、脱色性や腐食性を有する場合がある。一方、本発明の防菌器具は、アクセサリーや装飾品としての特徴を備えているから表地がガスに長期間させされて変色したり変質することは避けなければならない。表地と接しているものがあれば、これについても、変色や変質が生じる可能性がある。例えば防菌器具を被服のポケットに入れる場合を想定すると、ポケットや被服が変色する懸念がある。
そこで本発明では、挿入空間と表地との間に遮蔽部材を設け、ガスが表皮地に直接触れることを阻止している。
遮蔽部材は、ガスを透過しにくい素材であることが望ましく、例えば、樹脂の板やシート、金属フィルム等であることが推奨される。
【００１２】
請求項３に記載の発明は、ガス放出部材は自然環境下において殺菌効果又は滅菌効果を有するガスを放出する薬剤が袋詰めされたものであることを特徴とする請求項１又は２に記載の防菌器具である。
【００１３】
本発明では、ガス放出部材はガスを放出する薬剤が袋詰めされたものであるから、ガス放出部材を取り替えることができる。そのため一定期間使用して、もはやガスを放出しなくなったら、ガス放出部材を取り替えることによって防菌器具の外郭側を再利用することができる。
【００１４】
請求項４に記載の発明は、薬剤は、二酸化塩素を担体に担持させたものであることを特徴とする請求項３に記載の防菌器具である。
【００１５】
担体の形状は、粒状やブロック状であってもよい。また布の様な面積を有するものであってもよい。
担体として固形物を採用する場合には、多孔質体であることが推奨される。
多孔質体の例としては、シリカゲル、アルミナゲル、シリカアルミナゲル、ゼオライト等が挙げられる。
【発明の効果】
【００１６】
本発明の防菌器具は、児童・生徒が好んで使用し、使用者の近くにあるから、放出されたガスは、使用者の近傍に漂って使用者の周囲に滅菌雰囲気又は殺菌雰囲気を作る。そのため使用者の近傍に近づいた菌は死滅あるいは活性が弱り、使用者に病気を感染させない。
【図面の簡単な説明】
【００１７】
【図１】本発明の防菌器具の一例たるお守り袋の正面図である。
【図２】図１のお守り袋を飾り結びの根元部分で切断した断面正面図である。
【図３】図１のお守り袋の分解図である。
【図４】図１のお守り袋の一部断面斜視図である。
【図５】ガス放出部材の斜視図である。
【図６】図５のガス放出部材の断面斜視図である。
【図７】図１のお守り袋をランドセルに取り付けた状態を示す斜視図である。
【図８】本発明の防菌器具の他の一例たるマスコット人形の正面図である。
【図９】図８のマスコット人形の分解図である。
【図１０】本発明の防菌器具のさらに他の一例たるキーホルダーの斜視図である。
【図１１】図１１のキーホルダーを開いた際の斜視図である。
【図１２】本発明の防菌器具のさらに他の一例たる名札の正面図である。
【図１３】本発明の除菌器具のさらに他の一例たるカチューシャの斜視図である。
【図１４】本発明の除菌器具のさらに他の一例たる保護ケースの斜視図である。
【図１５】本発明の除菌器具のさらに他の一例たるストラップの斜視図である。
【発明を実施するための形態】
【００１８】
以下さらに本発明の実施形態について説明する。
本発明の第１の実施形態の防菌器具１は、外観をお守り袋に模したものである。即ち防菌器具１の外装部２は、布製の小袋であり、「交通安全」の文字が付されている。また開口部分３に下げ紐５が取り付けられている。下げ紐５には、飾りの結び目７が設けられている。開口部分３の周端に複数の孔６（図２）が設けられており、当該孔６に下げ紐５がジグザグ状に挿通されている。また下げ紐５は両端が結ばれていて環状を呈している。
【００１９】
前記した様に開口部分３の周端の孔６に下げ紐５がジグザグ状に挿通されているから、下げ紐５を絞ると開口部分３が狭まる。しかしながら、開口部分３を完全に閉じることはできず、常時少しの隙間があいている。
【００２０】
前記した様に防菌器具１の外装部２は、布製の小袋であるから、内部に挿入空間８を有している。そして本実施形態では、当該挿入空間８にガス放出部材１０と二枚の遮蔽部材１５が内蔵されている。
ガス放出部材１０は、開口を有しない袋１１に薬剤１２が封入されたものである。
ただし袋１１は、通気性を有している。即ち袋１１は、薬剤１２そのものがこぼれ出ることは阻止することができるが、ガスの通過を阻止することはできない。具体的には、袋１１は、布や不織布で作られている。
【００２１】
薬剤１２は、ゼオライトに二酸化塩素ガスを吸着保持させたものである。従って、常温・常圧の自然環境下において二酸化塩素ガスを徐々に放出する。
また前記した様に袋１１は通気性を有するので、二酸化塩素ガスは袋１１を通過してガス放出部材１０から外部に放散される。
【００２２】
遮蔽部材１５は、樹脂又は金属フィルム製であり、通気性を有しない。
遮蔽部材１５は、ガス放出部材１０と外装部２の内周部との間に設けられている。即ちガス放出部材１０は、二枚の遮蔽部材１５の間に挟まれた状態で、布製の小袋たる外装部２の挿入空間８に挿入されている。
【００２３】
本実施形態の防菌器具１は、図７に示すように、ランドセル２０の様な他の物品に装着される。即ちガス放出部材１０は、下げ紐５を有し、当該下げ紐５が他の物品に対する着脱部材として機能し、ランドセル２０その他の物品に着脱することができる。
また防菌器具１は、お守り袋の形をしているので、ランドセル２０に取り付けられても違和感がなく、児童も嫌がらない。
【００２４】
本実施形態の防菌器具１では、前記した様にガス放出部材１０から二酸化塩素ガスが放出され、防菌器具１の外装部２内に二酸化塩素ガスが充満する。そして外装部２は、開口部分３が少しだけ開口しているから、外装部２内の二酸化塩素ガスは、当該開口部分３から外に放出される。
そしてランドセル２０を背負う児童の周囲を滅菌雰囲気に保つ。そのためランドセル２０を背負う児童は、インフルエンザ等に感染しない。
【００２５】
また防菌器具１の外装部２は、布で作られているが、ガス放出部材１０と外装部２との間には遮蔽部材１５が設けられているので、ガス放出部材１０から放出されたガスが直接外装部２に触れることがある程度防止される。そのため外装部２が変色することはない。
またガス放出部材１０を取り替えることもできる。
【００２６】
上記した実施形態は、外観をお守り袋に模したものであるが、外観形状はお守り袋に限定されるものではない。即ちガス放出部材１０を入れる部材は、挿入空間が外部と連通しており、且つ次の要件のいずれかを具備しておればよい。
（１）外観が所定の形態を模したものである。
（２）外観が所定の意味を表示又は暗示する文字又は記号を模したものである。
（３）外観に装飾が設けられたものである。
（４）他人の注意を引く構成を備えたものである。
（５）所定の形態を模した図形が表示されている。
（６）所定の意味を表示又は暗示する文字又は記号が表示されている。
（７）他人の注意を引く図形が表示されている。
【００２７】
前記した防菌器具１は、外観はお守り袋に模したものであるから、前記した（１）の「外観が所定の形態を模したものである。」と言える。また「交通安全」の文字が付されており、（６）の「所定の意味を明示又は暗示する文字又は記号が表示されている。」とも言える。
【００２８】
これに対して図８に示す防菌器具２１は、携帯電話等に着脱するマスコット人形の形態をしている。即ち防菌器具２１の外郭部２２は人形の形態をしており、下げ紐２８が設けられている。
防菌器具２１の外郭部２２は上部２３と下部２５とに分かれており、両者はネジ部２７によって一体化されている。
また外郭部２２の内部は空洞であり、挿入空間２６が形成されている。前記した外郭部２２の上部２３には、目鼻に模した開口３０，３１と、乳に模した開口３２と、臍に模した開口３３があり、挿入空間２６は当該開口３０，３１，３２，３３を介して外部と連通している。
そしてこの挿入空間２６内にガス放出部材３５が設けられている。ガス放出部材３５の構造は先のガス放出部材３５と同一である。
【００２９】
前記した防菌器具２１は、外観が人形に模したものであるから、前記した（１）の「外観が所定の形態を模したものである。」と言える。
【００３０】
次に、図１０に示す防菌器具４０について説明する。図１０に示す防菌器具４０はキーホルダーであり、他の部材たる鍵（図示せず）に着脱するためのリング４１が設けられている。
防菌器具４０の本体３８は、図１１の様に表面部材４３と裏面部材４６が蝶番４７で接合されたものであり、全体を開閉することができる。そして表面部材４３と裏面部材４６を閉じた状態において、その内部に挿入空間５０が形成され、当該挿入空間５０にガス放出部材（図示せず）が挿入されている。
また本体３８の表面部材４３には、雄を示す記号が表示されている。表面部材４３の上部には、開口５１が設けられており、挿入空間５０は外部と連通している。
【００３１】
前記した防菌器具２１は、キーホルダーであるから、他の物品に着脱されるものである。また防菌器具２１は、キーホルダーであるから、使用者が懐中に入れて持ち運ぶものでもある。
前記した防菌器具２１は、雄を示す記号が表示されているから、（６）の「所定の意味を表示又は暗示する文字又は記号が表示されている。」と言える。
【００３２】
次に、図１２に示す防菌器具５５について説明する。図１２に示す防菌器具５５は、小学校の名札に本発明を応用したものである。
即ち防菌器具５５の、本体部５７は、外観形状がチューリップの花を模した形状をしている。また本体部５６には校章たる錨のマーク５８が表示されている。本体部５７はは小袋状となっており、内部にガス放出部材（図示せず）が挿入されている。
本体部５７には、他の物品に対する着脱部材として安全ピン５７が設けられている。
【００３３】
前記した防菌器具５７は、外観形状が、チューリップの花を模した形状をしているから、前記した（１）の「外観が所定の形態を模したものである。」と言える。
また本体部５７には校章たる錨のマーク５８が表示されているから、（６）の「所定の意味を表示又は暗示する文字又は記号が表示されている。」と言える。
【００３４】
次に、図１３に示す防菌器具６３について説明する。図１３に示す防菌器具６３はカチューシャであり、略半円状に湾曲した本体部６４と、花の形状を模した装飾部６５を有する。
防菌器具６３の本体部６４は伸縮性のある素材により構成されており、頭部に装着することが可能である。
装飾部６５の中央には挿入空間６８が形成され、前記挿入空間６８にガス放出部材７１が挿入されている。また、装飾部６５には開口６９が設けられており、挿入空間６８は開口６９を介して外部と連通している。
【００３５】
前記した防菌器具６３は、カチューシャであるから、使用者の体に対して着脱するものである。また、外観に花の形状を模した装飾がなされていることから（３）の「外観に装飾がもうけられたものである。」と言える。また、着用した際には頭部より花が咲いているように見えるため、（４）の「他人の注意を引く構成を備えたものである。」とも言える。
【００３６】
次に、図１４に示す防菌器具７５について説明する。防菌器具７５はガス放出部材の収納ケースであり、上部に開口７６を、内部にガス放出部材８０を収納する挿入空間７７を有している。また、防菌器具７５は、前面上部に紐７８と、背面上部にチェーン７９を設けた構成となっている。
【００３７】
開口７６より防菌器具７５の内部にガス放出部材８０を挿入した後、紐７８にチェーン７９を通すことによりガス放出部材８０が外に落ちないように保持する。しかし、前記保持方法によれば開口７６を完全に密閉することはできず、隙間が生じるために、ガスの放出を妨げることはない。
【００３８】
また、防菌器具７５は、ガス放出部材の保護ケースであるから、使用者が懐中に入れて持ち運ぶものであって、また、前面にはペンギンを模した図形が立体的に配されていることより、（３）の「外観に装飾が設けられたものである。」と言え、また（５）の「所定の形態を模した図形が表示されている。」、（７）の「他人の注意を引く図形が表示されている。」と言える。
【００３９】
次に、図１５に示す防菌器具８５について説明する。防菌器具８５は携帯電話等に着脱させるストラップであり、八分音符の形状をしている。即ち防菌器具８５は音符の携帯をしており、下げ紐９０が設けられている。
防菌器具８５の上部８９は鎌状となっており、また、下部８９は楕円状となっている。
楕円状の下部８９は、その内部にガス放出部材９２を挿入するための挿入空間８７を有し、上面に設けられた開口８６を介して外部と連通している。
【００４０】
前記した防菌器具８５は、ストラップであるから、他の物品に着脱されるものである。  また、防菌器具８５は、八分音符の形状をしていることから（２）の「外観が所定の意味を表示又は暗示する文字又は記号を模したものである。」と言える。
【００４１】
尚、本実施例において、殺菌効果又は滅菌効果を奏するガスは二酸化塩素であったが、ガスは二酸化塩素に限らず、オゾンや塩素ガスであっても良い。
また、本実施例においては、担体に担持させたものであったが、固形より直接昇華させても良い。
【符号の説明】
【００４２】
１  防菌器具
２  外装部
３  開口部
５  下げ紐
６  孔
８  挿入空間
１０  ガス放出部材
１１  袋
１２  薬剤
１５  遮蔽部材
２１  防菌器具
２６  挿入空間
２８  下げ紐
３５  ガス放出部材
４０  防菌器具
４１  リング
５０  挿入空間
５５  防菌器具
６３  防菌器具
６８  挿入空間
７１  ガス放出部材
７５  防菌器具
７９  チェーン
８０  ガス放出部材
８５  防菌器具
８７  挿入空間
９０  下げ紐
９２  ガス放出部材
【図１】
2012176050.tif 000003
【図２】
2012176050.tif 000004
【図３】
2012176050.tif 000005
【図４】
2012176050.tif 000006
【図５】
2012176050.tif 000007
【図６】
2012176050.tif 000008
【図７】
2012176050.tif 000009
【図８】
2012176050.tif 000010
【図９】
2012176050.tif 000011
【図１０】
2012176050.tif 000012
【図１１】
2012176050.tif 000013
【図１２】
2012176050.tif 000014
【図１３】
2012176050.tif 000015
【図１４】
2012176050.tif 000016
【図１５】
2012176050.tif 000017